(57)【要約】【課題】  スロットマシンのパネル部の光学的効果を向上させる。【解決手段】  所定の印刷が施された印刷シート６６の裏面側に、光を拡散させる拡散パネル６８ｃが設けられた印刷パネル６１と、印刷パネル６１を照射する光源部６０を備える。光源部６０は、連続した線状の光を出射する線光源６２と、点状の光を出射する複数の点光源６３ａを有した点光源部６３とを備える。【選択図】    図１２
2010240057.tif 000002
【特許請求の範囲】
【請求項１】
所定の印刷が施された印刷シートがその裏面側に位置する光源部で照射されて発光するパネル部を有するスロットマシンにおいて、
前記光源部として、連続した線状の光を出射する線光源と、点状の光を出射する単数または複数の点光源を有した点光源部とを設け、
前記印刷シートと前記光源部との間に、前記光源部から出射された光を所定の方向に屈折させて透過させる光路制御部材を備えたことを特徴とするスロットマシン。
【請求項２】
前記光路制御部材は、凹凸形状の組合せで光を拡散させる請求項１記載のスロットマシン。
【請求項３】
前記光路制御部材に、前記凹凸形状の無い非拡散部を設け、前記点光源部を、前記非拡散部を照射する位置に配置した請求項１または２記載のスロットマシン。
【請求項４】
前記非拡散部を、前記印刷シートに表記された所定の絵柄の位置に合わせて設けた請求項３記載のスロットマシン。
【請求項５】
前記線光源と前記点光源部が取り付けられるベース部と、前記ベース部に少なくとも前記点光源部が着脱可能に取り付けられる取付台座とを備え、前記取付台座を、前記点光源部の取り付け位置を変更可能に複数個所に配置した請求項１〜４のいずれか一項に記載のスロットマシン。
【請求項６】
前記点光源部は、複数の点光源が所定の図形を表出するように配置された請求項１〜５のいずれか一項に記載のスロットマシン。
【請求項７】
複数の点光源が円を表出するように所定の半径を有する円周に沿って配置された請求項６記載のスロットマシン。
【請求項８】
所定の動力により、光の出射方向を可変させる出射方向可変手段を備える請求項１〜７のいずれか一項に記載のスロットマシン。
【請求項９】
遊技者による遊技操作を、前記動力とする請求項８記載のスロットマシン。
【発明の詳細な説明】
【技術分野】
【０００１】
本発明は、スロットマシンに関し、特に、パネル部の光学的効果を向上させたスロットマシンに関する。
【背景技術】
【０００２】
メダル等を遊技媒体とする一般的なスロットマシンは、所定の文字や絵柄が表記され、機種の特徴が表されたパネルに光を照射して、遊技者等に機種名等を識別させるパネル部を備えている。
【０００３】
図１４は、従来のパネル部の一例を示す分解斜視図である。
従来のパネル部１００は、光を出射する蛍光灯などの線光源１０１と、線光源１０１から出射された光に照射される印刷パネル１０２とで構成される。
印刷パネル１０２は、所定の文字や絵柄等が描かれた印刷シート１０３と、これを前後から挟む、光を透過する透明な前パネル１０４ａと、後パネル１０４ｂとが、一体となって構成されている。
このような従来のパネル部１００では、発光部である線光源１０１の近傍が特に明るくなるため、パネルの全体では明るさにムラが生じてしまっていた。
そこで、線光源１０１に代えて、発光ダイオードなどの点光源とするとともに、点光源を線状に連ね、各点光源から出射された光を拡散板により拡散させて、印刷された絵柄の視認性を向上させた技術が提案されている（例えば、特許文献１）。
【先行技術文献】
【特許文献】
【０００４】
【特許文献１】特開２００７−１５１９２４号公報
【発明の概要】
【発明が解決しようとする課題】
【０００５】
しかしながら、特許文献１に記載の技術では、拡散板により各々の点光源からの光が拡散され、パネル部全体を明るくすることができるものの、それ以外に、格段の視覚的な演出効果が期待できるものではなかった。
【０００６】
本発明は、上述したような従来の技術が有する問題を解決するために提案されたものであり、パネル部の視覚的な演出効果を高めることができるスロットマシンの提供を目的とする。
【課題を解決するための手段】
【０００７】
上記目的を達成するため、本発明は、所定の印刷が施された印刷シートがその裏面側に位置する光源部で照射されて発光するパネル部を有するスロットマシンにおいて、光源部として、連続した線状の光を出射する線光源と、点状の光を出射する単数または複数の点光源を有した点光源部とを設け、印刷シートと光源部との間に、光源部から出射された光を所定の方向に屈折させて透過させる光路制御部材を備えた構成としてある。
【発明の効果】
【０００８】
本発明のスロットマシンによれば、発光パターンの異なる複数の光源部でパネル部が照射され、かつ、光路が所定の方向に制御されるので、視覚的な演出効果を高めることができる。
【図面の簡単な説明】
【０００９】
【図１】本発明の一実施形態に係るスロットマシンの外観を示す概略斜視図である。
【図２】本発明の一実施形態に係るスロットマシンの内部構成を示す概略斜視図である。
【図３】本発明の一実施形態に係るスロットマシンの光源部を示す概略斜視図である。
【図４】本発明の一実施形態に係るスロットマシンの制御構成の一例を示すブロック図である。
【図５】本実施形態のパネル部の一例を示す分解斜視図である。
【図６】点光源部の第一実施形態を示す斜視図である。
【図７】点光源部の第二実施形態を示す斜視図である。
【図８】本実施形態の印刷パネルの一例を示す分解斜視図である。
【図９】拡散パネルの第一実施形態を示す斜視図である。
【図１０】拡散パネルの第二実施形態を示す斜視図である。
【図１１】拡散パネルの第三実施形態を示す斜視図である。
【図１２】本実施形態のパネル部の具体例を示す分解斜視図である。
【図１３】本実施形態のパネル部の他の具体例を示す分解斜視図である。
【図１４】従来のパネル部の一例を示す分解斜視図である。
【発明を実施するための形態】
【００１０】
以下、本発明に係るスロットマシンの好ましい実施形態について、各図を参照して説明する。
【００１１】
［スロットマシン本体］
図１は、本発明の一実施形態に係るスロットマシンの外観を示す概略斜視図、図２は、本発明の一実施形態に係るスロットマシンの内部構成を示す概略斜視図、図３は、本発明の一実施形態に係るスロットマシンの光源部を示す概略斜視図である。また、図４は、本発明の一実施形態に係るスロットマシンの制御構成の一例を示すブロック図である。
【００１２】
これらの図に示すように、本実施形態のスロットマシン１は、複数のリール２１ａ，２１ｂ，２１ｃを回転させることによって遊技媒体であるメダルを獲得することができる回胴式遊技機を構成している。
【００１３】
スロットマシン１は、内部がマイクロコンピュータ等で構成された制御部３０、後述するＬＥＤや蛍光灯等の光源を制御する制御手段としての演出制御部３１、及び必要な機械、装置等を収納する正面側が開口した筐体１ｂと、筐体１ｂの正面側を開閉可能に覆う前扉１ａとで構成されている。
【００１４】
前扉１ａは、図２に示すように、スロットマシン１の筐体１ｂにヒンジ等を介して開閉可能に取り付けられる扉体で、この前扉１ａに遊技操作に係る操作部４が設けられて、スロットマシン１の正面部を構成している。
【００１５】
操作部４には、メダルが投入されるメダル投入口４０と、各リール２１ａ，２１ｂ，２１ｃの回転を始動させるスタートレバー４１と、回転している各リール２１ａ，２１ｂ，２１ｃを停止させる３つの停止ボタン４２ａ，４２ｂ，４２ｃが設けられている。
【００１６】
前扉１ａには、各リール２１ａ，２１ｂ，２１ｃに表示された図柄を視認可能とする表示窓５が、操作部４の上側に設けられる。また、前扉１ａには、機種の名称等を表す文字や機種に関連するキャラクタの絵柄等が表示されるパネル部６が、例えば操作部４の下側に設けられる。さらに、前扉１ａには、効果音等が出力されるスピーカ７が、例えばパネル部６の下側に設けられる。
【００１７】
筐体１ｂの中央には、リール２１ａ，２１ｂ，２１ｃと、各リール２１ａ，２１ｂ，２１ｃを回転させる図示しないモータ及び回転位置を検出するセンサ等を備えるドラムユニット２が設けられる。
【００１８】
また、筐体１ｂの下部には、メダルを貯留・払出するメダル払出装置８が設けられる。メダル払出装置８には、メダルを貯留するホッパー８０が設けられ、メダル投入口４０より投入されたメダルは、メダルセレクター８１により検出されるとともに、ホッパー８０に誘導されるようになっている。
【００１９】
スロットマシン１では、遊技者によりメダル投入口４０からメダルが投入され、スタートレバー４１が操作されると、スタート信号が制御部３０に入力される。スタート信号が入力されると、制御部３０では、所定の遊技プログラムに従いドラムユニット２を駆動して、各リール２１ａ，２１ｂ，２１ｃを回転させる制御を行う。
【００２０】
さらに、制御部３０では、例えばボーナスや小役等を抽せんする内部抽せんが行われ、各停止ボタン４２ａ，４２ｂ，４２ｃが押下操作されたタイミングに基づき、抽せん結果に応じた図柄の組合せで停止するよう、回転している各リール２１ａ，２１ｂ，２１ｃの停止制御を行う。
【００２１】
また、制御部３０は、各リール２１ａ，２１ｂ，２１ｃを所定の図柄の組合せで停止させると、メダル払出装置８で所定数のメダルを払い出す制御を行い、メダルをメダル払出口８２から払い出す。
【００２２】
スロットマシン１では、制御部３０における制御によって上述したスロットマシン遊技が開始されると、所定の信号が制御部３０から演出制御部３１に入力される。演出制御部３１では、所定の演出プログラムに従いパネル部６及びスピーカ７を駆動して、演出制御を行う。
【００２３】
［パネル部］
次に、本実施形態のパネル部６について、各図を参照して詳述する。
図５は、本実施形態のパネル部の一例を示す分解斜視図であり、図６は、点光源部の第一実施形態を示す斜視図である。
図５に示すように、パネル部６は、光を出射する光源部６０と、光源部６０から出射された光に照射される印刷パネル６１とを備えている。
【００２４】
光源部６０には、線光源６２と点光源部６３が設けられている。
線光源６２は、例えば、棒状の蛍光灯や冷陰極管、発光ダイオード（以下、ＬＥＤという）等で構成されるバックライト用の光源であり、連続した線状の光を発光する。
【００２５】
第一実施形態の点光源部６３は、図６に示すように、ＬＥＤからなる複数の点光源６３ａが配置された基板６３ｂと、これを回動可能に支持する支持部６３ｄと、基板６３ｂを回動させる動力源となるモータ６３ｅとで構成されている。
点光源６３ａは、基板６３ｂ上において、水平方向に二列に配置されている。
このように配置することで、後述の演出制御部３１が、各点光源６３ａを点滅制御することにより、光が上下左右に移動する演出を行うことができる。
【００２６】
また、基板６３ｂは、軸６３ｃを支点にして回動可能に支持部６３ｄに支持されるとともに、モータ６３ｅの駆動力を受けて、軸６３ｃを支点に回転する。
これにより、各点光源６３ａから出射される光の出射方向を変化させることができるようになっている（出射方向可変手段）。
なお、基板６３ｂを変位（回動）させる回転軸は１つである必要はなく、２つ以上の軸を設けることで上下と左右の何れの方向にも変位可能としても良い。
【００２７】
また、基板６３ｂを変位させる動力源は、電気的に制御可能なモータの他に、電磁石ソレノイド、アクチュエータ等の任意のものが選択可能である。
さらに、動力源は、直接基板６３ｂを変位させるものでなくてもよい。
例えば、図１等で説明したスピーカ７により発生した風圧を間接的に利用し、この風を基板６３ｄの後方から当てて、基板６３ｄを変位させる動力源としても良い。
【００２８】
また、スタートレバー４１や、停止ボタン４２等の操作手段が遊技者により操作されたときに、この操作を基板６３ｄに伝達させることもできる。
例えば、スタートレバー４１と基板６３ｄをワイヤなどの線で連結し、遊技者の操作をワイヤに伝達させて、基板６３ｄを変位させることもできる。
また、停止ボタン４２か押下されることで発生する押圧力を、基板６３ｄに伝達させ、基板６３ｄを変位させることもできる。
なお、このような出射方向可変手段は、点光源部６３のみならず、線光源６２にも適用することができる。
【００２９】
次に、点光源部の異なる実施例について説明する。
図７は、点光源部の第二実施形態を示す斜視図である。
第二実施形態の点光源部６３は、複数の点光源６３ａが所定の半径を有する円周に沿って配置された基板６３ｆと、これを支持する支持部６３ｇとで構成されている。
このように、複数の点光源６３ａを円周上に配置することで、後述の演出制御部３１が、各点光源６３ａを点滅制御することにより、ルーレット状に回転して見えるような演出や、円（丸）が点灯するような演出を行うことができる。
【００３０】
そして、このような線光源６２と点光源部６３は、光源部６０に設けられたベース部６４に取り付けられている。
ベース部６４は、図３及び図５に示すように、スロットマシン１の前扉１ａ側に形成された凹部であり、光を反射する鏡面構造を有している。
本実施形態では、１本の線光源６２が、ベース部６４のほぼ中央付近に取り付けられている。
さらに、ベース部６４は、点光源部６３が取り付けられる取付台座６５が複数設けられている。
【００３１】
図５に示す例では、点光源部６３が着脱可能に構成された取付台座６５が、所定の４箇所に設けられ、図６に示す第一実施形態の点光源部６３が、一の取付台座６５に取り付けられている。点光源部６３は、任意の取付台座６５に取付可能である。
また、複数の取付台座６５に同じ構成の点光源部６３を取り付けることも可能であるし、構成の異なる図７に示す第二実施形態の点光源部６３を取り付けることも可能である。
このように、点光源部６３が取り付けられる取付台座６５を複数設けることで、点光源部６３が取り付けられる組合せを増大させることができ、スロットマシンの前扉１ａを汎用化させつつ、点光源部６３の種類や取付け態様を機種毎に変えることができる。
【００３２】
次に、本発明の光路制御部材について、図面を参照して説明する。
図８は、本実施形態の印刷パネルの一例を示す分解斜視図である。
印刷パネル６１は、所定の文字や絵柄等が描かれた印刷シート６６と、これを前後から挟む、光を透過する透明な前パネル６７と、光を拡散する拡散パネル６８とが分離可能に重なり合って、一体となっている。
このように、印刷パネル６１を、印刷シート６６と前パネル６７と拡散パネル６８とを分離可能に構成することで、印刷パネル６１全体を交換することなく、印刷シート６６を交換するだけで、表示内容の変更が行えるようになっている。すなわち、印刷シート６６を交換することで、異なる機種に変更できるように、汎用化が図られている。
【００３３】
印刷パネル６１は、拡散パネル６８が光源部６０に対向するようにして、ベース部６４の正面側を覆い、図３に示すスロットマシン１の前扉１ａに着脱可能に取り付けられる（図１参照）。
【００３４】
拡散パネル６８は光を所定の方向に屈折させて透過させる光路制御部材の一例で、印刷シート６６と光源部６０との間に配置されている。
拡散パネル６８は、光源部６０と対向する一の面（裏面）、または、光源部６０と対向する一の面（裏面）と反対側の他の面（表面）、あるいは、一の面（裏面）と他の面（表面）の両面が、所定の凹凸形状に構成され、印刷シート６６の全体または所定の範囲が照射されるように、光源部６０から出射された光を拡散する。
【００３５】
図９は、拡散パネル６８の第一実施形態を示す斜視図である。
第一実施形態の拡散パネル６８は、断面形状が半円形の凸部６８ａが、一の面に複数並設されている。
拡散パネル６８は、光を透過する無色透明または有色透明な樹脂材料で構成され、金型による射出成形で、所望の形状の凸部６８ａを一体成形することが可能である。
拡散パネル６８を成形する金型において、凹凸による拡散形状を形成する部分のみを変更可能な入れ子構造にしておくことで、新たに金型を製作することなく、入れ子の入れ替えにより拡散形状を変更することもできる。
【００３６】
拡散パネル６８は、図８に示すように、各凸部６８ａが線光源６２と同じ方向に延設されている。
また、線光源６２から出射された光は、線光源６２を軸にして、この軸と直交する方向に同心円状に広がるようになっている。
その結果、線光源６２から出射された光は、拡散パネル６８を透過すると、凸部６８ａの境界面での屈折により、線光源６２と直交する方向への拡散が助長され、印刷シート６６の略全面を照射するようになっている。
これにより、光源部６０として、線光源６２のみとした構成でも、印刷パネル６１の表面に生じる明るさのムラを解消することができる。
【００３７】
なお、拡散パネル６８で光が拡散される方向は、凸部６８ａの曲率、ピッチ、幅等から凸部６８ａで光が屈折する方向を光学計算することで求めることができる。
これにより、光を所望の範囲に拡散させたい場合に、光学計算によって、凸部６８ａの曲率、ピッチ、幅等の形状を最適化することができる。
また、スロットマシン１の構造変更等により、光源部６０と印刷パネル６１の距離等の位置関係が変更される場合においても、凸部６８ａの形状を変えることで、最適な拡散効果を得ることができる。
【００３８】
図１０は、拡散パネルの第二実施形態を示す斜視図である。
第二実施形態の拡散パネル６８は、半球状の凸レンズ部６８ｂが、一の面に縦横両方向に複数並列されて形成されている。第二実施形態の拡散パネル６８では、入射された光が各凸レンズ部６８ｂの境界面で屈折して拡散される。
【００３９】
図１１は、拡散パネルの第三実施形態を示す斜視図である。第三実施形態の拡散パネル６８は、四角錐状のダイヤカット部６８ｃが、一の面に縦横両方向に複数並列されて形成される。第三実施形態の拡散パネル６８では、入射された光が各ダイヤカット部６８ｃの境界面で屈折して拡散される。
【００４０】
第二及び第三実施形態の拡散パネル６８では、光源が図６及び図７に示す点光源部６３である場合に、各点光源６３ａから出射された光を拡散することで、発光位置が特定できるような粒状感を無くすことが可能となる。
なお、その他の実施形態として、一の面に所定のパターンを有するシボ加工を施すこともできる。
【００４１】
次に、上述の点光源部６３と拡散パネル６８を組合せた実施形態について説明する。
図１２は、本実施形態のパネル部の具体例を示す分解斜視図である。
光源部６０は、線光源６２と、各々取付台座６５に取り付けられた第一実施形態の点光源部６３及び第二実施形態の点光源部６３とが設けられている。
また、印刷パネル６１は、ダイヤカット部６３ｃが形成された拡散パネル６８が設けられる。
このように、点光源部６３が取り付けられる取付台座６５を複数設けるとともに、点光源部６３の種類を複数設けることで、点光源部６３が取り付けられる組合せを増大させることができる。
その結果、既存のスロットマシンにはない、光学的な演出効果が奏することができる。
また、スロットマシンの前扉１ａを汎用化させつつ、点光源部６３の種類や取付け態様を機種毎に変えることができ、機種毎に前扉１ａを作製する必要がなくなり、コストの低減が図られる。
【００４２】
また、本実施形態のスロットマシン１では、光源部６０の線光源６２と点光源部６３から出射された光が拡散パネル６８で拡散されて印刷シート６６を照射することで、線光源６２から出射された光は、印刷シート６６の略全面を照射するようにすることができ、印刷パネル６１の表面の明るさのムラを解消することができる。また、点光源部６３の各点光源６３ａから出射された光は、粒状感を無くすことができる。
【００４３】
また、本実施形態のスロットマシン１は、従来構造の印刷パネルにおいて、後面側のパネルを拡散パネル６８に置き換えることで、簡単に最適な拡散効果を実現できるので、別部品として導光板や、照射ムラが抑えられた高価な光源を用いることなく、安価に実現することができる。
【００４４】
さらに、本実施形態のスロットマシン１は、スロットマシン遊技の進行に伴う演出制御と組合せることで、新たな視覚効果を演出することができる。
スロットマシン遊技が開始され、所定の信号が図４に示す制御部３０から演出制御部３１に入力されると、演出制御部３１は、所定の演出プログラムに従い、線光源６２と、点光源部６３を制御して、所定の演出を行う。
【００４５】
例えば、演出制御部３１が行う、第一実施形態の点光源部６３に対する制御では、モータ６３ｅを駆動して、基板６３ｂを回動させることができる。
その結果、各点光源部６３ａから出射される光の出射方向が変化し、拡散パネル６３への光の入射角が変化するので、拡散パネル６３を透過した光の見え方が変化する。これにより、印刷シート６６を透過する光に動き（例えば、シャンデリアやサーチライトのような）が加わり、この光が透過する印刷シート６６上の文字や絵柄による演出効果を高めることができる。
また、演出制御部３１が行う、第一実施形態の点光源部６３や第二実施形態の点光源部６３に対する制御では、各点光源６３ａを所定のパターンで点滅させることにより、ルーレットのような回転や左右上下の移動等の変位を模擬的に表すことができる。
さらに、点光源６３ａは、所定の形状や文字を表出するように各点光源６３ａを基板上に配置するとともに、所定のパターンで点滅させることにより、例えば、文字が移動するような視覚効果を演出することができる。
【００４６】
また、演出制御部３１は、制御部３０で行われた内部抽せんの結果を示す信号を受信することで、線光源６２と点光源部６３を制御して、内部抽せんの当せん結果を報知することもできる。
例えば、ボーナスの当せんの当否を報知する制御として、点光源６３ａが円周に沿って配置された第二実施形態の点光源部６３において、右回り又は左回りに、ルーレット状に点光源６３ａの点灯箇所を増加させ、全て点灯すれば、ボーナスの当せん確定を示し、全て点灯しないときには、ハズレを示す演出を行うこともできる。この場合において、点光源６３ａの点灯数を、ボーナス当せんの信頼度に対応させる演出としてもよい。
なお、印刷シート６６には、各点光源６３ａの点灯箇所に合わせた絵柄を印刷し、最後に点灯する点光源６３ａに対応する部分には、「大当り」などのボーナスの当せん確定を示す絵柄を印刷することが好ましい。
【００４７】
また、ボーナスの当せんの当否を、線光源６２や点光源部６３の点灯と消灯で表すこともできる。
例えば、印刷シート６６にボーナス当せんを示唆する絵柄（例えば、「７」、「ＢＡＲ」、「大当り」、「ＧＯ」、「ＢＩＧ」など）を印刷し、この絵柄の位置に合わせて点光源部６３を配置するとともに、全ての点光源６３ａの点灯や点滅でボーナスの当せん確定、消灯でハズレを示す演出とすることもできる。
この場合、ボーナスが複数種類設定されているスロットマシンでは、ボーナスの種類を特定可能な絵柄を印刷シート６６に個別に印刷し、それぞれの絵柄の位置に合わせて点光源部６３を配置するとともに、各点光源部６３の点光源６３ａを交互に点灯させ、いずれかのボーナス当せんを示唆する演出を行い、最後に一の点光源部６３の点光源６３ａのみを点灯させて、当せんしたボーナスの種類を特定させる演出とすることもできる。
【００４８】
また、本実施形態のスロットマシン１では、拡散パネル６８の形状によって、様々な視覚効果を与えることが可能となる。
例えば、線光源部６２に対向する部分は、図９に示すような凸部６３ａを形成し、点光源部６３に対向する部分は、図１２に示すようなダイヤカット６３ｃを形成することで、光源に応じて光を拡散させて、線光源６２から出射された光で印刷シート６６の略全面を照射するとともに、点光源部６３の各点光源６３ａから出射された光の粒状感を無くすことができる。
【００４９】
また、拡散パネル６８において、凹凸による拡散形状を全体に一様に設けるのではなく、部分的に光が拡散または集光する形状を設け、かつ、印刷シート６６上の文字や絵柄のデザインと相関性を持たせることで、印刷シート６６に立体感を持たせる等、従来は実現できなかった新たな視覚効果を演出することができる。
例えば、拡散パネル６８に光を集光するレンズ形状を設けることで、光を所定の文字等に集光して部分的に強調することもできる。
【００５０】
図１３は、パネル部の他の実施形態を示す分解斜視図である。
図１３に示す拡散パネル６８は、点光源部６３と対向する部分に、凹凸による拡散形状を無くした平面状の非拡散部６９を形成したものである。
この場合の点光源部６３は、印刷シート６６において所定の文字や絵柄が表記された領域に対向する位置に設けられている。
これより、非拡散部６９では、点光源部６３の点光源６３ａが特定できることから、粒状感による視覚効果を演出することができる。
【００５１】
さらに、演出制御部３１が行う、線光源６２に対する制御では、線光源６２の消灯や、線光源６２を所定のパターンで点滅させる演出制御を加えることでも、新しい視覚効果を演出することができる。
また、印刷シート６６の一部あるいは拡散パネル６８の一部に光を遮光する構成を備えることで、印刷シート６６に光のコントラストを形成することができる。
【００５２】
以上述べたように本発明のスロットマシンによれば、発光パターンの異なる複数の光源部でパネル部が照射され、かつ、光路が所定の方向に制御されるので、視覚的な演出効果を高めることができる。
【００５３】
以上、本発明のスロットマシンの好ましい実施形態について説明したが、本発明に係るスロットマシンは上述した実施形態にのみ限定されるものではなく、本発明の範囲で種々の変更実施が可能であることはいうまでもない。
例えば、本実施形態では、印刷シートと拡散パネル（光路制御部材）を別部材としたが、拡散パネルに所定の印刷を施すこともできる。
この場合には、その印刷がされた部分を本発明の印刷シートとして扱うことができる。
【産業上の利用可能性】
【００５４】
本発明は、パネル部を備えるスロットマシン（回胴式遊技機）に好適に利用することができる。
【符号の説明】
【００５５】
１  スロットマシン
２  ドラムユニット
３０  制御部
３１  演出制御部
４  操作部
４１  スタートレバー
４２（４２ａ，４２ｂ，４２ｃ）  停止ボタン
６  パネル部
６０  光源部
６１  印刷パネル
６２  線光源
６３  点光源部
６３ａ  点光源
６３ｂ  基板
６３ｃ  軸
６３ｄ  支持部
６３ｅ  モータ
６４  取付台座
【図１】
2010240057.tif 000003
【図２】
2010240057.tif 000004
【図３】
2010240057.tif 000005
【図４】
2010240057.tif 000006
【図５】
2010240057.tif 000007
【図６】
2010240057.tif 000008
【図７】
2010240057.tif 000009
【図８】
2010240057.tif 000010
【図９】
2010240057.tif 000011
【図１０】
2010240057.tif 000012
【図１１】
2010240057.tif 000013
【図１２】
2010240057.tif 000014
【図１３】
2010240057.tif 000015
【図１４】
2010240057.tif 000016